(57)【要約】  【課題】  簡単な形状を有し、容易な方法で光ディスクと光ヘッドの角度及び距離を調整し、光ヘッドから光ディスクに高精度でレーザ光を照射することができ、それだけ、データの読出し又は記録を高精度で行うことができる光ディスクローディング装置及びこれを用いた光ディスク装置を提供する。  【解決手段】  トラバースシャーシ１と、光ディスク駆動機構２と、モータ取付板３と、光ヘッド４と、トラバースシャーシ１とモータ取付板３との距離を調整する第１距離調整部５１、第２距離調整部５２及び第３距離調整部５３の３個の距離調整部５とを有する光ディスクローディング装置Ａ。【選択図】      図２
2006268993.tif 000002
【特許請求の範囲】
【請求項１】
光ディスクにレーザ光を照射することで、データの記録、読出を行う光ディスク装置で
あって、
前記光ディスクを挿入する光ディスクローディング装置と、信号を処理するための信号
処理装置と、前記信号処理装置にて復号化された信号を外部の映像表示部に接続するため
の外部接続部と、制御部とを備えており、
前記光ディスクローディング装置は、前記光ディスクにレーザ光を照射する光ヘッドと
、前記光ディスクを回動させるディスク回動機構と、前記光ヘッド及び前記ディスク回動
機構を支持するトラバースシャーシと、前記トラバースシャーシと連結配置され、前記デ
ィスク回動装置を支持するモータ取付板と、前記トラバースシャーシと前記モータ取付板
との距離を調整する３個の距離調整部とを有しており、
前記トラバースシャーシは前記光ヘッドが摺動するときにその摺動方向をガイドする２
本のガイド軸と、前記光ヘッドが前記ガイド軸に沿って摺動するときに光ヘッドの動作を
妨げないようにするための摺動用貫通孔とを備えており、
前記ディスク回動機構は駆動モータと、前記駆動モータの回転軸に固定され、前記光デ
ィスクを載置するためのターンテーブルとを備えており、
前記距離調整部は調整ボルトと、前記トラバースシャーシに形成され、前記調整ボルト
それぞれと螺合する雌ねじ孔と、前記モータ取付板に形成され、前記調整ボルトそれぞれ
が貫通するねじ孔と、前記調整ボルトに外嵌し、前記トラバースシャーシ及び前記モータ
取付板をそれぞれ離れるように付勢するばねとを有しており、
前記ターンテーブルの中心をとおり前記光ヘッドの摺動方向と同じ方向の直線をＸ軸、
前記ターンテーブルの中心をとおり前記Ｘ軸と直行する方向の直線をＹ軸とすると、前記
距離調整部のうち第１距離調整部は前記Ｙ軸上で前記ターンテーブルと干渉しない場所に
形成されており、第２距離調整部及び第３距離調整部は前記第１距離調整部とＸ軸に対し
て反対側に形成されており、前記第２距離調整部と第３距離調整部とは前記Ｙ軸を挟んで
対称位置に配置されており、前記第１距離調整部から前記Ｘ軸までの距離と、前記第２距
離調整部及び前記第３距離調整部と前記Ｘ軸までの距離が等しくなるように配置されてお
り、
前記光ディスクを円周方向に傾倒するときは前記第２距離調整部、前記第３距離調整部
と前記第１距離調整部とを双方逆方向に調整し、半径方向に傾倒するときは前記第２距離
調整部と前記第３距離調整部を双方逆方向に調整することを特徴とする光ディスク装置。
【請求項２】
光ディスクにレーザ光を照射することで、データの記録、読出を行う光ディスク装置で
あって、
前記光ディスクを挿入する光ディスクローディング装置と、信号を処理するための信号
処理装置と、前記信号処理装置にて復号化された信号を外部の映像表示部に接続するため
の外部接続部と、制御部とを備えており、
前記光ディスクローディング装置は、前記光ディスクにレーザ光を照射する光ヘッドと
、前記光ディスクを回動させるディスク回動機構と、前記光ヘッド及び前記ディスク回動
機構を支持するトラバースシャーシと、前記トラバースシャーシと連結配置され、前記デ
ィスク回動装置を支持するモータ取付板と、前記トラバースシャーシと前記モータ取付板
との距離を調整する３個の距離調整部とを有しており、
前記トラバースシャーシは前記光ヘッドが摺動するときにその摺動方向をガイドする２
本のガイド軸と、前記光ヘッドが前記ガイド軸に沿って摺動するときに光ヘッドの動作を
妨げないようにするための摺動用貫通孔とを備えており、
前記ディスク回動機構は駆動モータと、前記駆動モータの回転軸に固定され、前記光デ
ィスクを載置するためのターンテーブルとを備えており、
前記距離調整部は調整ボルトと、前記トラバースシャーシに形成され、前記調整ボルト
それぞれと螺合する雌ねじ孔と、前記モータ取付板に形成され、前記調整ボルトそれぞれ
が貫通するねじ孔と、前記調整ボルトに外嵌し、前記トラバースシャーシ及び前記モータ
取付板をそれぞれ離れるように付勢するばねとを有しており、
前記ターンテーブルの中心をとおり前記光ヘッドの摺動方向と同じ方向の直線をＸ軸、
前記ターンテーブルの中心をとおり前記Ｘ軸と直行する方向の直線をＹ軸とすると、前記
距離調整部のうち第１距離調整部は前記Ｘ軸上で前記ターンテーブルと干渉しない場所に
形成されており、第２距離調整部及び第３距離調整部はＹ軸上に、前記Ｘ軸を挟んで対称
位置に配置されており、
前記光ディスクを円周方向に傾倒するときは前記第２距離調整部と前記第３距離調整部
とを双方逆方向に調整し、半径方向に傾倒するときは前記第１距離調整部を調整すること
を特徴とする光ディスク装置。
【請求項３】
光ディスクにレーザ光を照射することで、データの記録、読出を行う光ディスク装置で
あって、
前記光ディスクを挿入する光ディスクローディング装置は、前記光ディスクにレーザ光
を照射する光ヘッドと、前記光ディスクを回動させるディスク回動機構と、前記光ヘッド
及び前記ディスク回動機構を支持するトラバースシャーシと、前記トラバースシャーシと
連結配置され、前記ディスク回動装置を支持するモータ取付板と、前記トラバースシャー
シと前記モータ取付板との距離を調整する３個の距離調整部とを有しており、
前記ディスク回動機構は駆動モータと、前記駆動モータの回転軸に固定され、前記光デ
ィスクを載置するためのターンテーブルとを備えており、
前記距離調整部は調整ボルトと、前記トラバースシャーシに形成され、前記調整ボルト
それぞれと螺合する雌ねじ孔と、前記モータ取付板に形成され、前記調整ボルトそれぞれ
が貫通するねじ孔と、前記調整ボルトに外嵌し、前記トラバースシャーシ及び前記モータ
取付板をそれぞれ離れるように付勢する弾性部材とを有しており、
前記ターンテーブルの中心をとおり前記光ヘッドの摺動方向と同じ方向の直線をＸ軸、
前記ターンテーブルの中心をとおり前記Ｘ軸と直行する方向の直線をＹ軸とすると、前記
距離調整部のうち第１距離調整部は前記Ｘ軸又はＹ軸いずれか一方の上で前記ターンテー
ブルと干渉しない場所に形成されており、第２距離調整部及び第３距離調整部はＸ軸又は
Ｙ軸のうち第１距離調整部が配置されている方の軸に対して対称に形成されていることを
特徴とする光ディスク装置。
【請求項４】
光ディスクにレーザ光を照射することで、データの記録、読出を行う光ディスク装置に
おいて、
前記光ディスクにレーザ光を照射する光ヘッドと、前記光ディスクを回動させるディス
ク回動機構と、前記光ヘッド及び前記ディスク回動機構を支持するトラバースシャーシと
、前記トラバースシャーシと連結配置され、前記ディスク回動装置を支持するモータ取付
板と、前記トラバースシャーシと前記モータ取付板との距離を調整する３個の距離調整部
とを有しており、
前記トラバースシャーシは前記光ヘッドが摺動するときにその摺動方向をガイドする２
本のガイド軸と、前記光ヘッドが前記ガイド軸に沿って摺動するときに光ヘッドの動作を
妨げないようにするための摺動用貫通孔とを備えており、
前記ディスク回動機構は駆動モータと、前記駆動モータの回転軸に固定され、前記光デ
ィスクを載置するためのターンテーブルとを備えており、
前記距離調整部は調整ボルトと、前記トラバースシャーシに形成され、前記調整ボルト
それぞれと螺合する雌ねじ孔と、前記モータ取付板に形成され、前記調整ボルトそれぞれ
が貫通するねじ孔と、前記調整ボルトに外嵌し、前記トラバースシャーシ及び前記モータ
取付板をそれぞれ離れるように付勢するばねとを有しており、
前記ターンテーブルの中心をとおり前記光ヘッドの摺動方向と同じ方向の直線をＸ軸、
前記ターンテーブルの中心をとおり前記Ｘ軸と直行する方向の直線をＹ軸とすると、前記
距離調整部のうち第１距離調整部は前記Ｙ軸上で前記ターンテーブルと干渉しない場所に
形成されており、第２距離調整部及び第３距離調整部は前記第１距離調整部とＸ軸に対し
て反対側に形成されており、前記第２距離調整部と第３距離調整部とは前記Ｙ軸を挟んで
対称位置に配置されており、前記第１距離調整部から前記Ｘ軸までの距離と、前記第２距
離調整部及び前記第３距離調整部と前記Ｘ軸までの距離が等しくなるように配置されてお
り、
前記光ディスクを円周方向に傾倒するときは前記第２距離調整部、前記第３距離調整部
と前記第１距離調整部とを双方逆方向に調整し、半径方向に傾倒するときは前記第２距離
調整部と前記第３距離調整部を双方逆方向に調整することを特徴とする光ディスクローデ
ィング装置。
【請求項５】
光ディスクにレーザ光を照射することで、データの記録、読出を行う光ディスク装置に
おいて、
前記光ディスクにレーザ光を照射する光ヘッドと、前記光ディスクを回動させるディス
ク回動機構と、前記光ヘッド及び前記ディスク回動機構を支持するトラバースシャーシと
、前記トラバースシャーシと連結配置され、前記ディスク回動装置を支持するモータ取付
板と、前記トラバースシャーシと前記モータ取付板との距離を調整する３個の距離調整部
とを有しており、
前記トラバースシャーシは前記光ヘッドが摺動するときにその摺動方向をガイドする２
本のガイド軸と、前記光ヘッドが前記ガイド軸に沿って摺動するときに光ヘッドの動作を
妨げないようにするための摺動用貫通孔とを備えており、
前記ディスク回動機構は駆動モータと、前記駆動モータの回転軸に固定され、前記光デ
ィスクを載置するためのターンテーブルとを備えており、
前記距離調整部は調整ボルトと、前記トラバースシャーシに形成され、前記調整ボルト
それぞれと螺合する雌ねじ孔と、前記モータ取付板に形成され、前記調整ボルトそれぞれ
が貫通するねじ孔と、前記調整ボルトに外嵌し、前記トラバースシャーシ及び前記モータ
取付板をそれぞれ離れるように付勢するばねとを有しており、
前記ターンテーブルの中心をとおり前記光ヘッドの摺動方向と同じ方向の直線をＸ軸、
前記ターンテーブルの中心をとおり前記Ｘ軸と直行する方向の直線をＹ軸とすると、前記
距離調整部のうち第１距離調整部は前記Ｘ軸上で前記ターンテーブルと干渉しない場所に
形成されており、第２距離調整部及び第３距離調整部はＹ軸上に、前記Ｘ軸を挟んで対称
位置に配置されており、
前記光ディスクを円周方向に傾倒するときは前記第２距離調整部と前記第３距離調整部
とを双方逆方向に調整し、半径方向に傾倒するときは前記第１距離調整部を調整すること
を特徴とする光ディスクローディング装置。
【請求項６】
光ディスクにレーザ光を照射する光ヘッドと、前記光ディスクを回動させるディスク回
動機構と、前記光ヘッド及び前記ディスク回動機構を支持するトラバースシャーシと、前
記トラバースシャーシと連結配置され、前記ディスク回動装置を支持するモータ取付板と
、前記トラバースシャーシと前記モータ取付板との距離を調整する３個の距離調整部とを
有しており、
前記ディスク回動機構は駆動モータと、前記駆動モータの回転軸に固定され、前記光デ
ィスクを載置するためのターンテーブルとを備えており、
前記距離調整部は調整ボルトと、前記トラバースシャーシに形成され、前記調整ボルト
それぞれと螺合する雌ねじ孔と、前記モータ取付板に形成され、前記調整ボルトそれぞれ
が貫通するねじ孔と、前記調整ボルトに外嵌し、前記トラバースシャーシ及び前記モータ
取付板をそれぞれ離れるように付勢する弾性部材とを有しており、
前記ターンテーブルの中心をとおり前記光ヘッドの摺動方向と同じ方向の直線をＸ軸、
前記ターンテーブルの中心をとおり前記Ｘ軸と直行する方向の直線をＹ軸とすると、前記
距離調整部のうち第１距離調整部は前記Ｘ軸又はＹ軸いずれか一方の上で前記ターンテー
ブルと干渉しない場所に形成されており、第２距離調整部及び第３距離調整部はＸ軸又は
Ｙ軸のうち第１距離調整部が配置されている方の軸に対して対称に形成されていることを
特徴とする光ディスクローディング装置。
【発明の詳細な説明】
【技術分野】
【０００１】
本発明は、光ディスクと該光ディスクにレーザ光を照射する光ヘッドとの距離及び前記
光ヘッドから照射されるレーザ光の光軸と前記光ディスクとの角度を調整する光ディスク
ローディング装置及びこれを用いた光ディスク装置に関するものである。
【背景技術】
【０００２】
近年、映像、音声又は情報の記録媒体として光を照射することで記録及び（又は）読出
しすることができる光ディスクを用いるものが多く用いられている。前記光ディスクとし
て、ＣＤ（Compact Disc）、ＤＶＤ（Digital Versatile Disc）等が広く用いられている
。これら光ディスクを記録媒体として該光ディスクにデータの記録及び（又は）読出しを
行う光ディスク装置は光ディスクの記録面に対しレーザ光を照射し、反射してきた光を検
出する光ヘッドを備えている。
【０００３】
前記光ヘッドは対物レンズを有しており、該対物レンズにてレーザ光を集光し、レーザ
スポットとして光ディスクの記録面に照射し、前記光ディスクに記録されている情報を読
み出したり、前記光ディスクに情報を書き込んだりする。この情報の読み出し及び情報の
記録の精度を高めるためには、レーザ光を適正に照射することが必要である。そのために
、前記光ディスクの記録面と前記光ヘッドとの距離及び角度を適正な値に保ち、前記レー
ザスポットを前記光ディスクの記録面に照射する必要がある。
【０００４】
前記光ディスクが回転しているときに該光ディスクと前記対物レンズとの距離及び角度
を適正に保つために、光ヘッドは前記対物レンズを保持するアクチュエータのフォーカシ
ング制御、チルト制御をおこなう。しかし、前記アクチュエータのフォーカシング制御及
びチルト制御による距離及び角度の可動範囲は小さく、前記光ディスクの記録面と前記対
物レンズとの距離及び角度を前記アクチュエータの前記フォーカシング制御及び（又は）
チルト制御だけでは適正値にすることができない場合がある。
【０００５】
そこで、前記光ディスク装置では通常、前記光ディスクを装着するターンテーブル又は
前記光ヘッドの傾きや配置の調整を行い、前記光ディスクの記録面と前記光ヘッドの対物
レンズとの距離及び角度を適正な値になるように調整している。
【０００６】
図８に従来の光ディスク装置の光ディスクローディング装置の平面図を示す。図８に示
す光ディスク装置Ｃは、トラバースシャーシ９１と、光ディスクＤｓを保持するとともに
、回転駆動する光ディスク駆動機構９２と、光ディスク駆動機構９２の後述するスピンド
ルモータ９２１を保持するモータ取付板９３と、光ディスクＤｓにレーザ光を照射する光
ヘッド９４とを有している。
【０００７】
トラバースシャーシ９１には、一対のガイド軸９１１が固定されている。ガイド軸９１
１は平行に配置されている。光ヘッド９４はガイド軸９１１に係合しており、ガイド軸９
１１に沿って摺動する。摺動方向は光ディスクＤｓの半径方向である。光ヘッド９４は対
物レンズ９４１を備えており、対物レンズ９４１より光ディスクＤｓの記録面にレーザ光
を照射する。
【０００８】
光ディスク駆動機構９２はスピンドルモータ９２１と、スピンドルモータ９２１と連結
しスピンドルモータ９２１が駆動することで回動する回転軸９２２と、回転軸９２２に固
定され、光ディスクＤｓを保持するターンテーブル９２３とを有している。スピンドルモ
ータ９２１が駆動することで、回転軸９２２が回動し回転軸９２２と連結するターンテー
ブル９２３も回動する。光ディスクＤｓはターンテーブル９２３の上部に載せられた後、
ターンテーブル９２３と図示を省略したクランプとに挟持される。ターンテーブル９２３
はクランプと光ディスクＤｓを挟持した状態で回動することで光ディスクＤｓを回転軸９
２２を中心に高速回転することができる。
【０００９】
図９に図８に示す光ディスクローディング装置の平面図を、図１０に図８に示す光ディ
スクローディング装置の側面図を示す。スピンドルモータ９２１はモータ取付板９３に固
定されるものであり、モータ取付板９３はトラバースシャーシ９１の下面に配置される。
モータ取付板９３は１本のボス９５１と、２本のボルト９５２、９５３とを用いてトラバ
ースシャーシ９１に取り付けられている。ボス９５１及び２本のボルト９５２、９５３に
はばね９６が嵌合しており、トラバースシャーシ９１とモータ取付板９３とを互いに遠ざ
かるように付勢している。
【００１０】
図９に示すようにボルト９５２、９５３はモータ取付板９３のねじ孔９３２、９３３を
貫通し、トラバースシャーシ９１の雌ねじ孔９１２、９１３と螺合している。同様に、ボ
ルト９５２、９５３モータ取付板９３のねじ孔９３２、９３３を貫通し、トラバースシャ
ーシ９１の雌ねじ孔９１２、９１３と螺合している。ボス９５１はモータ取付板９３に昇
降可能に取り付けられており、トラバースシャーシ９１のボス孔９１４と係合する。
【００１１】
ボルト９５２は光ヘッド９４の摺動方向と直角に交わるＬ軸上に配置され、ボルト９５
３は光ヘッド９４の摺動方向と平行なＭ軸上に配置される。また、ボス９５１はＬ軸及び
Ｍ軸が交差する点に配置される。光ディスクＤｓと光ヘッド９４の傾きは、その配置から
光ディスクＤｓの半径方向（ラジアル方向：ｒａｄ方向）の傾きと、光ディスクＤｓの円
周方向（タンジェンシャル方向：ｔａｎ方向）の傾きに大別される。
【００１２】
光ディスクＤｓと光ヘッド９４の対物レンズ９４１との傾きを調整するために、モータ
取付板９３の傾きをｒａｄ方向及び（又は）ｔａｎ方向に傾ける。ボルト９５２を回動す
ると、ボルト９５２が取り付けられている場所でのトラバースシャーシ９１とモータ取付
板９３との距離を調整することができる。これにより、モータ取付板９３は残りのボルト
９５３及びボス９５１とで結ばれるＭ軸を中心軸として回動する。これにより、光ディス
クＤｓを保持するターンテーブル９２３をｔａｎ方向に傾けることができる。
【００１３】
同様にボルト９５３を回動することで、ボルト９５３が取り付けられている場所でのト
ラバースシャーシ９１とモータ取付板９３との距離を調整することができる。これにより
、モータ取付板９５３は残りのボルト９５２及びボス９５１とで結ばれるＬ軸を中心軸と
して回動する。これにより、光ディスクＤｓを保持するターンテーブル９２３をｒａｄ方
向に傾けることができる。
【００１４】
ボス９５１はモータ取付板９３に昇降自在に取り付けられており、ボス９５１及びボル
ト９５２、９５３を調整することで、光ディスクＤｓと光ヘッド９４の対物レンズ９４１
との傾きを保ちつつ、距離を調整することができる。
【特許文献１】特開２００４−８７０３１号公報
【発明の開示】
【発明が解決しようとする課題】
【００１５】
図９、図１０に示すようなモータ取付板９３をボルト９５２、９５３でｒａｄ方向及び
（又は）ｔａｎ方向に傾けるものの場合、Ｌ軸及びＭ軸を中心に回動する。しかしながら
、モータ取付板９３をｔａｎ方向に傾ける場合、モータ取付板９３の傾倒の中心がＭ軸で
あり、光ディスクＤｓの回転中心と大きくずれており、光ディスクＤｓの回転中心と光ヘ
ッド９４が摺動するときの対物レンズ９４１の中心が摺動する線とのずれが大きくなる。
【００１６】
光ディスクＤｓの回転中心が対物レンズ９４１の摺動の中心線よりずれてしまうと、対
物レンズ９４１より出射されるレーザ光は光ディスクＤｓの記録面に対し光軸が直角にな
るように照射することができるが、レーザ光の照射位置が適正な照射位置から光ディスク
Ｄｓの円周方向にずれる。この状態でモータ取付板９３を昇降させ光ヘッド９４と光ディ
スクＤｓとの距離を変更すると、照射位置がさらにずれる場合がある。
【００１７】
レーザ光が光ディスクＤｓの適正な位置からずれて照射されている場合、データの読出
し又はカキコミのために光ヘッド９４がガイド軸９１１に沿って摺動するときに、レーザ
光のレーザスポットが光ディスクＤｓの円周方向にずれて照射され、適正な場所の反射光
を受光できず、読出し又は記録の精度が落ちる。
【００１８】
そこで本発明は、簡単な形状を有し、容易な方法で光ディスクと光ヘッドの角度及び距
離を調整することができる光ディスクローディング装置及びこれを用いた光ディスク装置
を提供することを目的とする。
【００１９】
また本発明は、光ヘッドから光ディスクに高精度でレーザ光を照射することができ、そ
れだけ、データの読出し又は記録を高精度で行うことができる光ディスクローディング装
置及びこれを用いた光ディスク装置を提供することを目的とする。
【課題を解決するための手段】
【００２０】
上記目的を達成するために本発明は、光ディスクにレーザ光を照射することで、データ
の記録、読出を行う光ディスク装置であって、前記光ディスクを挿入する光ディスクロー
ディング装置と、信号を処理するための信号処理装置と、前記信号処理装置にて復号化さ
れた信号を外部の映像表示部に接続するための外部接続部と、制御部とを備えており、前
記光ディスクローディング装置は、前記光ディスクにレーザ光を照射する光ヘッドと、前
記光ディスクを回動させるディスク回動機構と、前記光ヘッド及び前記ディスク回動機構
を支持するトラバースシャーシと、前記トラバースシャーシと連結配置され、前記ディス
ク回動装置を支持するモータ取付板と、前記トラバースシャーシと前記モータ取付板との
距離を調整する３個の距離調整部とを有しており、前記トラバースシャーシは前記光ヘッ
ドが摺動するときにその摺動方向をガイドする２本のガイド軸と、前記光ヘッドが前記ガ
イド軸に沿って摺動するときに光ヘッドの動作を妨げないようにするための摺動用貫通孔
とを備えており、前記ディスク回動機構は駆動モータと、前記駆動モータの回転軸に固定
され、前記光ディスクを載置するためのターンテーブルとを備えており、前記距離調整部
は調整ボルトと、前記トラバースシャーシに形成され、前記調整ボルトそれぞれと螺合す
る雌ねじ孔と、前記モータ取付板に形成され、前記調整ボルトそれぞれが貫通するねじ孔
と、前記調整ボルトに外嵌し、前記トラバースシャーシ及び前記モータ取付板をそれぞれ
離れるように付勢するばねとを有しており、前記ターンテーブルの中心をとおり前記光ヘ
ッドの摺動方向と同じ方向の直線をＸ軸、前記ターンテーブルの中心をとおり前記Ｘ軸と
直行する方向の直線をＹ軸とすると、前記距離調整部のうち第１距離調整部は前記Ｙ軸上
で前記ターンテーブルと干渉しない場所に形成されており、第２距離調整部及び第３距離
調整部は前記第１距離調整部とＸ軸に対して反対側に形成されており、前記第２距離調整
部と第３距離調整部とは前記Ｙ軸を挟んで対称位置に配置されており、前記第１距離調整
部から前記Ｘ軸までの距離と、前記第２距離調整部及び前記第３距離調整部と前記Ｘ軸ま
での距離が等しくなるように配置さており、前記光ディスクを円周方向に傾倒するときは
前記第２距離調整部、前記第３距離調整部と前記第１距離調整部とを双方逆方向に調整し
、半径方向に傾倒するときは前記第２距離調整部と前記第３距離調整部を双方逆方向に調
整することことを特徴とする。
【００２１】
この構成によると、前記光ディスクの円周方向（ｔａｎ方向）、半径方向（ｒａｄ方向
）に光ディスクの傾きを調整するときに、前記モータ取付板の傾倒の中心をＸ軸又はＹ軸
にすることができる。
【００２２】
上記目的を達成するために本発明は、光ディスクにレーザ光を照射することで、データ
の記録、読出を行う光ディスク装置であって、前記光ディスクを挿入する光ディスクロー
ディング装置と、信号を処理するための信号処理装置と、前記信号処理装置にて復号化さ
れた信号を外部の映像表示部に接続するための外部接続部と、制御部とを備えており、前
記光ディスクローディング装置は、前記光ディスクにレーザ光を照射する光ヘッドと、前
記光ディスクを回動させるディスク回動機構と、前記光ヘッド及び前記ディスク回動機構
を支持するトラバースシャーシと、前記トラバースシャーシと連結配置され、前記ディス
ク回動装置を支持するモータ取付板と、前記トラバースシャーシと前記モータ取付板との
距離を調整する３個の距離調整部とを有しており、前記トラバースシャーシは前記光ヘッ
ドが摺動するときにその摺動方向をガイドする２本のガイド軸と、前記光ヘッドが前記ガ
イド軸に沿って摺動するときに光ヘッドの動作を妨げないようにするための摺動用貫通孔
とを備えており、前記ディスク回動機構は駆動モータと、前記駆動モータの回転軸に固定
され、前記光ディスクを載置するためのターンテーブルとを備えており、前記距離調整部
は調整ボルトと、前記トラバースシャーシに形成され、前記調整ボルトそれぞれと螺合す
る雌ねじ孔と、前記モータ取付板に形成され、前記調整ボルトそれぞれが貫通するねじ孔
と、前記調整ボルトに外嵌し、前記トラバースシャーシ及び前記モータ取付板をそれぞれ
離れるように付勢するばねとを有しており、前記ターンテーブルの中心をとおり前記光ヘ
ッドの摺動方向と同じ方向の直線をＸ軸、前記ターンテーブルの中心をとおり前記Ｘ軸と
直行する方向の直線をＹ軸とすると、前記距離調整部のうち第１距離調整部は前記Ｘ軸上
で前記ターンテーブルと干渉しない場所に形成されており、第２距離調整部及び第３距離
調整部はＹ軸上に、前記Ｘ軸を挟んで対称位置に配置さており、前記光ディスクを円周方
向に傾倒するときは前記第２距離調整部と前記第３距離調整部とを双方逆方向に調整し、
半径方向に傾倒するときは前記第１距離調整部を調整することを特徴とする。
【００２３】
この構成によると、前記第１距離調整部、前記第２距離調整部及び前記第３距離調整部
を前記Ｘ軸又はＹ軸上に配置し、前記光ディスクの半径方向の傾倒を行うときに前記第１
距離調整部のみを調整し、前記光ディスクの円周方向の傾倒を行うときに前記第２距離調
整部及び前記第３距離調整部とを調整することで行うことができる。
【００２４】
上記目的を達成するために本発明は、光ディスクにレーザ光を照射することで、データ
の記録、読出を行う光ディスク装置であって、前記光ディスクを挿入する光ディスクロー
ディング装置は、前記光ディスクにレーザ光を照射する光ヘッドと、前記光ディスクを回
動させるディスク回動機構と、前記光ヘッド及び前記ディスク回動機構を支持するトラバ
ースシャーシと、前記トラバースシャーシと連結配置され、前記ディスク回動装置を支持
するモータ取付板と、前記トラバースシャーシと前記モータ取付板との距離を調整する３
個の距離調整部とを有しており、前記ディスク回動機構は駆動モータと、前記駆動モータ
の回転軸に固定され、前記光ディスクを載置するためのターンテーブルとを備えており、
前記距離調整部は調整ボルトと、前記トラバースシャーシに形成され、前記調整ボルトそ
れぞれと螺合する雌ねじ孔と、前記モータ取付板に形成され、前記調整ボルトそれぞれが
貫通するねじ孔と、前記調整ボルトに外嵌し、前記トラバースシャーシ及び前記モータ取
付板をそれぞれ離れるように付勢する弾性部材とを有しており、前記ターンテーブルの中
心をとおり前記光ヘッドの摺動方向と同じ方向の直線をＸ軸、前記ターンテーブルの中心
をとおり前記Ｘ軸と直行する方向の直線をＹ軸とすると、前記距離調整部のうち第１距離
調整部は前記Ｘ軸又はＹ軸いずれか一方の上で前記ターンテーブルと干渉しない場所に形
成されており、第２距離調整部及び第３距離調整部はＸ軸又はＹ軸のうち第１距離調整部
が配置されている方の軸に対して対称に形成されていることを特徴とする。
【００２５】
この構成によると、第１距離調整部、第２距離調整部及び第３距離調整部を調整するこ
とで、前記光ディスクを円周方向（ｔａｎ方向）、半径方向（ｒａｄ方向）に傾倒するこ
とができる。
【００２６】
上記目的を達成するために本発明は、光ディスクにレーザ光を照射することで、データ
の記録、読出を行う光ディスク装置において、前記光ディスクにレーザ光を照射する光ヘ
ッドと、前記光ディスクを回動させるディスク回動機構と、前記光ヘッド及び前記ディス
ク回動機構を支持するトラバースシャーシと、前記トラバースシャーシと連結配置され、
前記ディスク回動装置を支持するモータ取付板と、前記トラバースシャーシと前記モータ
取付板との距離を調整する３個の距離調整部とを有しており、前記トラバースシャーシは
前記光ヘッドが摺動するときにその摺動方向をガイドする２本のガイド軸と、前記光ヘッ
ドが前記ガイド軸に沿って摺動するときに光ヘッドの動作を妨げないようにするための摺
動用貫通孔とを備えており、前記ディスク回動機構は駆動モータと、前記駆動モータの回
転軸に固定され、前記光ディスクを載置するためのターンテーブルとを備えており、前記
距離調整部は調整ボルトと、前記トラバースシャーシに形成され、前記調整ボルトそれぞ
れと螺合する雌ねじ孔と、前記モータ取付板に形成され、前記調整ボルトそれぞれが貫通
するねじ孔と、前記調整ボルトに外嵌し、前記トラバースシャーシ及び前記モータ取付板
をそれぞれ離れるように付勢するばねとを有しており、前記ターンテーブルの中心をとお
り前記光ヘッドの摺動方向と同じ方向の直線をＸ軸、前記ターンテーブルの中心をとおり
前記Ｘ軸と直行する方向の直線をＹ軸とすると、前記距離調整部のうち第１距離調整部は
前記Ｙ軸上で前記ターンテーブルと干渉しない場所に形成されており、第２距離調整部及
び第３距離調整部は前記第１距離調整部とＸ軸に対して反対側に形成されており、前記第
２距離調整部と第３距離調整部とは前記Ｙ軸を挟んで対称位置に配置されており、前記第
１距離調整部から前記Ｘ軸までの距離と、前記第２距離調整部及び前記第３距離調整部と
前記Ｘ軸までの距離が等しくなるように配置されており、
前記光ディスクを円周方向に傾倒するときは前記第２距離調整部、前記第３距離調整部
と前記第１距離調整部とを双方逆方向に調整し、半径方向に傾倒するときは前記第２距離
調整部と前記第３距離調整部を双方逆方向に調整することを特徴とする光ディスクローデ
ィング装置を提供する。
【００２７】
この構成によると、前記光ディスクの円周方向（ｔａｎ方向）、半径方向（ｒａｄ方向
）に光ディスクの傾きを調整するときに、前記モータ取付板の傾倒の中心をＸ軸又はＹ軸
にすることができる。
【００２８】
上記目的を達成するために本発明は、光ディスクにレーザ光を照射することで、データ
の記録、読出を行う光ディスク装置において、前記光ディスクにレーザ光を照射する光ヘ
ッドと、前記光ディスクを回動させるディスク回動機構と、前記光ヘッド及び前記ディス
ク回動機構を支持するトラバースシャーシと、前記トラバースシャーシと連結配置され、
前記ディスク回動装置を支持するモータ取付板と、前記トラバースシャーシと前記モータ
取付板との距離を調整する３個の距離調整部とを有しており、前記トラバースシャーシは
前記光ヘッドが摺動するときにその摺動方向をガイドする２本のガイド軸と、前記光ヘッ
ドが前記ガイド軸に沿って摺動するときに光ヘッドの動作を妨げないようにするための摺
動用貫通孔とを備えており、前記ディスク回動機構は駆動モータと、前記駆動モータの回
転軸に固定され、前記光ディスクを載置するためのターンテーブルとを備えており、前記
距離調整部は調整ボルトと、前記トラバースシャーシに形成され、前記調整ボルトそれぞ
れと螺合する雌ねじ孔と、前記モータ取付板に形成され、前記調整ボルトそれぞれが貫通
するねじ孔と、前記調整ボルトに外嵌し、前記トラバースシャーシ及び前記モータ取付板
をそれぞれ離れるように付勢するばねとを有しており、前記ターンテーブルの中心をとお
り前記光ヘッドの摺動方向と同じ方向の直線をＸ軸、前記ターンテーブルの中心をとおり
前記Ｘ軸と直行する方向の直線をＹ軸とすると、前記距離調整部のうち第１距離調整部は
前記Ｘ軸上で前記ターンテーブルと干渉しない場所に形成されており、第２距離調整部及
び第３距離調整部はＹ軸上に、前記Ｘ軸を挟んで対称位置に配置されており、前記光ディ
スクを円周方向に傾倒するときは前記第２距離調整部と前記第３距離調整部とを双方逆方
向に調整し、半径方向に傾倒するときは前記第１距離調整部を調整することを特徴とする
光ディスクローディング装置を提供する。
【００２９】
この構成によると、前記第１距離調整部、前記第２距離調整部及び前記第３距離調整部
を前記Ｘ軸又はＹ軸上に配置し、前記光ディスクの半径方向の傾倒を行うときに前記第１
距離調整部のみを調整し、前記光ディスクの円周方向の傾倒を行うときに前記第２距離調
整部及び前記第３距離調整部とを調整することで行うことができる。
【００３０】
上記目的を達成するために本発明は、光ディスクにレーザ光を照射する光ヘッドと、前
記光ディスクを回動させるディスク回動機構と、前記光ヘッド及び前記ディスク回動機構
を支持するトラバースシャーシと、前記トラバースシャーシと連結配置され、前記ディス
ク回動装置を支持するモータ取付板と、前記トラバースシャーシと前記モータ取付板との
距離を調整する３個の距離調整部とを有しており、前記ディスク回動機構は駆動モータと
、前記駆動モータの回転軸に固定され、前記光ディスクを載置するためのターンテーブル
とを備えており、前記距離調整部は調整ボルトと、前記トラバースシャーシに形成され、
前記調整ボルトそれぞれと螺合する雌ねじ孔と、前記モータ取付板に形成され、前記調整
ボルトそれぞれが貫通するねじ孔と、前記調整ボルトに外嵌し、前記トラバースシャーシ
及び前記モータ取付板をそれぞれ離れるように付勢する弾性部材とを有しており、前記タ
ーンテーブルの中心をとおり前記光ヘッドの摺動方向と同じ方向の直線をＸ軸、前記ター
ンテーブルの中心をとおり前記Ｘ軸と直行する方向の直線をＹ軸とすると、前記距離調整
部のうち第１距離調整部は前記Ｘ軸又はＹ軸いずれか一方の上で前記ターンテーブルと干
渉しない場所に形成されており、第２距離調整部及び第３距離調整部はＸ軸又はＹ軸のう
ち第１距離調整部が配置されている方の軸に対して対称に形成されていることを特徴とす
る光ディスクローディング装置を提供する。
【００３１】
この構成によると、第１距離調整部、第２距離調整部及び第３距離調整部を調整するこ
とで、前記光ディスクを円周方向（ｔａｎ方向）、半径方向（ｒａｄ方向）に傾倒するこ
とができる。
【発明の効果】
【００３２】
本発明によると、簡単な形状を有し、容易な方法で光ディスクと光ヘッドの角度及び距
離を調整することができる光ディスクローディング装置及びこれを用いた光ディスク装置
を提供することができる。
【００３３】
また本発明によると、光ヘッドから光ディスクに高精度でレーザ光を照射することがで
き、それだけ、データの読出し又は記録を高精度で行うことができる光ディスクローディ
ング装置及びこれを用いた光ディスク装置を提供することができる。
【発明を実施するための最良の形態】
【００３４】
以下に本発明の実施形態を図面を参照して説明する。図１に本発明にかかる光ディスク
装置の概略配置図を示す。図１に示す光ディスク装置ＰＬは前記光ディスクを挿入する光
ディスクローディング装置Ａと、信号を処理するための信号処理装置Ｄｃと、信号処理装
置Ｄｃにて復号化された信号を外部の映像表示部Ｍｎに接続するための外部接続部Ｏｃと
、制御部Ｃｏｎｔとを備えている。図１に示す光ディスク装置ＰＬはそれには限定されな
いが、ここでは、ＤＶＤプレーヤである。
（第１の実施例）
図２に本発明にかかる光ディスクローディング装置の要部の平面図を、図３に図２に示
す光ディスクローディング装置の要部の正面図を、図４に図２に示す光ディスクローディ
ング装置の要部の側面図を示す。図２に示す光ディスクローディング装置Ａは、トラバー
スシャーシ１と、光ディスクＤｓを保持するとともに、回転駆動する光ディスク駆動機構
２と、光ディスク駆動機構２の後述するスピンドルモータ２１を保持するモータ取付板３
と、光ディスクＤｓにレーザ光を照射する光ヘッド４と、トラバースシャーシ１とモータ
取付板３との距離を調整する距離調整部５とを有している。
【００３５】
トラバースシャーシ１は平面視矩形状を有しており、中央部に貫通孔１１が形成されて
いる。貫通孔１１の下面部を横切るように且つトラバースシャーシ１の長手方向に沿って
２本のガイド軸１２が互いに平行になるように配置されている。
【００３６】
光ディスク駆動機構２は、スピンドルモータ２１と、スピンドルモータ２１と連結しス
ピンドルモータ２１が駆動することで回動する回転軸２２と、回転軸２２に固定され、図
示を省略したクランプと光ディスクＤｓを上下から挟んで保持するターンテーブル２３と
を有している。スピンドルモータ２１は、モータ取付板３に固定されており、スピンドル
モータ２１が駆動することで、回転軸２２及び回転軸２２に固定されたターンテーブル２
３が回転する。このとき、光ディスクＤｓはターンテーブル２３に保持されており、回転
軸２２を中心に回転する。
【００３７】
光ヘッド４はガイド軸１２と摺動可能に係合する係合部４１と、光ディスクＤｓにレー
ザ光を照射する対物レンズ４２とを有している。光ヘッド４は図示を省略した駆動機構を
利用し、ガイド軸１２に沿って往復動する。図２に示すように光ヘッド４の対物レンズ４
２は、光ディスクＤｓの中心部（換言すると、スピンドルモータ２１の回転中心）から半
径方向に延びるＸ軸にそって往復動する。
【００３８】
モータ取付板３は図２、３、４に示すようにモータ取付板３は光ディスクＤｓの配置場
所とトラバースシャーシ１を挟んだ反対側に配置される。
【００３９】
距離調整部５は第１距離調整部５１、第２距離調整部５２及び第３距離調整部５３の３
個の距離調整部を有している。第１距離調整部５１は光ディスクＤｓの回転中心を通りＸ
軸と直交するＹ軸上で、トラバースシャーシ１及び前記モータ取付板３の端部に近接した
部分に形成される。また、第２距離調整部５２及び第３距離調整部５３はＸ軸を挟んで第
１距離調整部５１と反対側に形成される。
【００４０】
第２距離調整部５２及び第３距離調整部５３はＹ軸を挟んで互いに対称になる位置に形
成される。Ｘ軸から第１距離調整部５１までの距離とＸ軸から第２距離調整部５２及び第
３距離調整部５３までの距離とが同じ長さであり、Ｙ軸から第２距離調整部５２及び第３
距離調整部５３までの距離も同じ長さである。
【００４１】
第１距離調整部５１はトラバースシャーシ１に形成される第１雌ねじ孔５１１と、モー
タ取付板３に形成されている第１ねじ孔５１２と、第１ねじ孔５１２を貫通し第１雌ねじ
孔５１１と螺合する第１調整ボルト５１３と、第１調整ボルト５１３に外嵌し前記トラバ
ースシャーシ１とモータ取付板３を互いに離れる方向に付勢する弾性部材（ここでは、ば
ね５４）とを有している。
【００４２】
モータ取付板３をトラバースシャーシ１との連結場所に配置したときに第１雌ねじ孔５
１１は第１ねじ孔５１２と対応する位置に形成されている。第１雌ねじ孔５１１と第１ね
じ孔５１２とが重なるようにトラバースシャーシ１の下面にモータ取付板３を配置し、第
１調整ボルト５１３を第１ねじ孔５１２側から貫通し第１雌ねじ孔５１１と螺合する。
【００４３】
第２距離調整部５２は第１距離調整部５１と同様に、トラバースシャーシ１に形成され
る第２雌ねじ孔５２１と、モータ取付板３に形成されている第２ねじ孔５２２と、第２ね
じ孔５２２を貫通し第２雌ねじ孔５２１と螺合する第２調整ボルト５２３と、第２調整ボ
ルト５２３に外嵌する弾性部材（ここでは、ばね５４）とを有している。
【００４４】
モータ取付板３をトラバースシャーシ１との連結場所に配置したときに第２雌ねじ孔５
２１と第２ねじ孔５２２とは対応する位置に形成される。第２雌ねじ孔５２１と第２ねじ
孔５２２とが重なるようにトラバースシャーシ１の下面にモータ取付板３を配置し、第２
調整ボルト５２３を第２ねじ孔５２２側から貫通し第２雌ねじ孔５２１と螺合する。
【００４５】
さらに第３距離調整部５３も第１距離調整部５１と同様にトラバースシャーシ１に形成
される第３雌ねじ孔５３１と、モータ取付板３に形成されている第３ねじ孔５３２と、第
３ねじ孔５３２を貫通し第３雌ねじ孔５３１と螺合する第３調整ボルト５３３と、第２調
整ボルト５３３に外嵌する弾性部材（ここでは、ばね５４）とを有している。
【００４６】
モータ取付板４をトラバースシャーシ１との連結場所に配置したとき、第３雌ねじ孔５
３１と第３ねじ孔５３２とは対応する位置に形成される。第３雌ねじ孔５３１と第３ねじ
孔５３２とが重なるようにトラバースシャーシ１の下面にモータ取付板３を配置し、第３
調整ボルト５３３を第３ねじ孔５３２側から貫通し第３雌ねじ孔５３１と螺合する。
【００４７】
光ヘッド４はガイド軸１２の取り付け誤差等によってターンテーブル２３に支持される
光ディスクＤｓに対して、傾いて配置される場合がある。傾いて配置された場合、光ディ
スクＤｓでに正確な角度及び距離でレーザ光を入射することができず光ディスクＤｓから
のデータの読み出しや、光ディスクＤｓへのデータの書き込みの精度が低下する。そこで
、この傾いた光ヘッド４の対物レンズ４２より出射されるレーザ光の光軸が光ディスクＤ
ｓの記録面に常に一定の角度で照射されるようにモータ取付板３を傾け、ターンテーブル
２３に取り付けられた光ディスクＤｓの光ヘッド４に対して傾倒する。
【００４８】
図３を参照してモータ取付板３の傾き調整方法を説明する。図３は正面側から見た図で
あり、図３中矢線Ａｒ１に示す方向にモータ取付板３を傾斜させる場合を考える。矢線Ａ
ｒ１方向は光ディスクＤｓの円周方向であり、ここでは、タンジェンシャル方向（ｔａｎ
方向）とする。
【００４９】
図３中左側（第２調整ボルト５２３及び第３調整ボルト５３３が取り付けられた側）を
下に傾ける場合、第２調整ボルト５２３及び第３調整ボルト５３３を回動し第２ねじ孔５
２２及び第３ねじ孔５３２を第２雌ねじ孔５２１及び第３雌ねじ孔５３１とはなれる方向
に移動させる。このとき、第２調整ボルト５２３と第３調整ボルト５３３の回動量を調節
し、第２雌ねじ孔５２１と第２ねじ孔５２２の長さと、第３雌ねじ孔５３１と第３ねじ孔
５３２の長さが同じになるようにする。
【００５０】
その後、第１調整ボルト５１３を第２調整ボルト５２３及び第３調整ボルト５３３と反
対方向に回動させ、第１ねじ孔５１２を第１雌ねじ孔５１１に近づく方向に移動させる。
このとき、第１調整ボルト５１３による第１ねじ孔５１２の移動量が、第２ねじ孔５２２
及び第３ねじ孔５３２の移動量と同じになるように第１調整ボルト５１３を回転する。
【００５１】
このように、第１調整ボルト５１３、第２調整ボルト５２３及び第３調整ボルト５３３
を回動することでモータ取付板３をＸ軸中心に傾倒することが可能である。このときモー
タ取付板３の傾倒の中心は図３に示すαであり、ターンテーブル２３に配置された光ディ
スクＤｓの中心と近接した場所を中心に傾倒することができる。これにより、光ディスク
駆動機構２のターンテーブル２３に配置された光ディスクＤｓの回転中心と光ヘッド４が
摺動するときに対物レンズ４２の中心が移動するＸ軸とのずれを微小なものに抑えること
が可能である。
【００５２】
光ヘッド４が摺動方向に傾いて取り付けられている場合もある。この場合、第１調整ボ
ルト５１３、第２調整ボルト５２３及び第３調整ボルト５３３を用いて図３に示す矢線Ａ
ｒ２の方向にモータ取付板３を傾斜させる。矢線Ａｒ２の方向は光ディスクＤｓの半径方
向であり、ここではラジアル方向（ｒａｄ方向）とする。
【００５３】
光ディスクＤｓをｒａｄ方向に傾倒する場合、第１調整ボルト５１３は操作せずに、第
２調整ボルト５２３及び第３調整ボルト５３３のみを操作する。例えば、光ディスクＤｓ
の光ヘッド４と対面する部分を中心から遠ざかるにしたがって光ヘッド４から遠ざかるよ
うに傾ける場合、第２調整ボルト５２３を回動し、トラバースシャーシ１とモータ取付板
３との間が縮まるように第２ねじ孔５２２を移動させる。第３調整ボルト５３３を第２調
整ボルト５２３とは反対に回動し、トラバースシャーシ１とモータ取付板３との間が広が
るように第３ねじ孔５３２を移動させる。このとき、第２調整ボルト５２３及び第３調整
ボルト５３３の回動は、第２ねじ孔５２２及び第３ねじ孔５３２の変化量が同じになるよ
うに調整する。
【００５４】
このように第２調整ボルト５２３及び第３調整ボルト５３３を操作することでモータ取
付板３を傾け、光ディスクＤｓの記録面を傾けることができる。その後、第１距離調整部
５１の第１ねじ孔５１２、第２距離調整部５２の第２ねじ孔５２２及び第３距離調整部５
３の第３ねじ孔５３２が同じ両移動するように第１調整ボルト５１３、第２調整ボルト５
２３及び第３調整ボルト５３３を操作し、レーザ光のレーザスポットが光ディスクＤｓの
記録面に適正に照射するように調整する。
【００５５】
このように、ｔａｎ方向、ｒａｄ方向に傾けて、高さ調整をすることで、光ヘッド４の
対物レンズ４２から出射されるレーザ光の光軸の光ディスクＤｓの記録面に対する角度が
適正な角度になるとともに焦点位置を合わせることができる。これにより、光ディスクＤ
ｓに記録されているデータの読み出しや、光ディスクへのデータの書き込みの精度が高く
なる。
【００５６】
本実施例では第１距離調整部５１、第２距離調整部５２及び第３距離調整部５３の距離
調整方法として、トラバースシャーシ１の第１雌ねじ孔５１１、第２雌ねじ孔５２１及び
第３雌ねじ孔５３１の雌ねじを貫通孔とし、第１調整ボルト５１３、第２調整ボルト５２
３及び第３調整ボルト５３３のトラバースシャーシ１から突出した部分をナットにて螺合
するものであってもよい。この場合、ナットをトラバースシャーシ１に回転止めされてい
るものが好ましい。
【００５７】
第１距離調整部５１からＸ軸までの距離と第２距離調整部５２及び第３距離調整部５３
からＸ軸までの距離が等しくなくてもよい。この場合、距離に合わせて調整量を適正な量
になるようにすることで、本実施例と同様にモータ取付板３を傾倒することができる。ま
た、第２距離調整部５２と第３距離調整部５３とＹ軸との距離が等しくなくてもよい。こ
の場合も同様に、Ｙ軸からの距離にあわせて調整量を適正な量になるようにすることで、
本実施例と同様にモータ取付板３を傾倒することができる。
【００５８】
第２距離調整部５２及び第３距離調整部５３をＸ軸上に配置するものであってもよい。
この場合、モータ取付板３をｔａｎ方向に傾倒するときに、第１距離調整部５１のみの調
整だけで行うことが可能である。
（第２の実施例）
図５に本発明にかかる光ディスクローディング装置の要部の平面図を、図６に図５に示
す光ディスクローディング装置の要部の正面図を、図７に図５に示す光ディスクローディ
ング装置の要部の側面図を示す。第２の実施例にかかる光ディスクローディング装置Ｂは
、第１距離調整部６１、第２距離調整部６２及び第３距離調整部６３の位置が異なる以外
は、第１の実施例にかかる光ディスクローディング装置Ａと同じであり、実質上同じ部分
には同一の符号を付してある。
【００５９】
図５、６、７に示すようにモータ取付板３は光ディスクＤｓの配置場所とトラバースシ
ャーシ１を挟んだ反対側に配置される。モータ取付板３は第１距離調整部６１、第２距離
調整部６２及び第３距離調整部６３にてトラバースシャーシ１と連結されている。
【００６０】
第１距離調整部６１は光ディスクＤｓの中心部（換言すると、スピンドルモータ２１の
回転中心）から半径方向に延びるＸ軸上に、スピンドルモータ２１を挟んで光ヘッド４と
反対側に形成される。
【００６１】
第２距離調整部６２及び第３距離調整部６３はスピンドルモータ２１の回転中心をとお
り、Ｘ軸と直交するＹ軸上に、Ｘ軸を挟んで対称となるように配置されている。それには
限定されないが、本実施例では、図６に示すように、正面から見て左側に第２距離調整部
６２が形成されている。Ｘ軸から第２距離調整部６２及び第３距離調整部６３までの距離
が同じ長さである。
【００６２】
第１距離調整部６１はトラバースシャーシ１に形成される第１雌ねじ孔６１１と、モー
タ取付板３に形成されている第１ねじ孔６１２と、第１ねじ孔６１２を貫通し第１雌ねじ
孔６１１と螺合する第１調整ボルト６１３と、第１調整ボルト６１３に外嵌し前記トラバ
ースシャーシ１とモータ取付板３を互いに離れる方向に付勢する弾性部材（ここでは、ば
ね６４）とを有している。
【００６３】
モータ取付板３をトラバースシャーシ１との連結場所に配置したとき、第１雌ねじ孔６
１１と第１ねじ孔６１２とは対応する位置に形成される。第１雌ねじ孔６１１と第１ねじ
孔６１２とが重なるようにトラバースシャーシ１の下面にモータ取付板３を配置し、第１
調整ボルト６１３を第１ねじ孔６１２側から貫通し第１雌ねじ孔６１１と螺合する。
【００６４】
第２距離調整部６２は第１距離調整部６１と同様に、トラバースシャーシ１に形成され
る第２雌ねじ孔６２１と、モータ取付板３に形成されている第２ねじ孔６２２と、第２ね
じ孔６２２を貫通し第２雌ねじ孔６２１と螺合する第２調整ボルト６２３と、第２調整ボ
ルト６２３に外嵌し前記トラバースシャーシ１とモータ取付板３を互いに離れる方向に付
勢する弾性部材（ここでは、ばね６４）とを有している。
【００６５】
モータ取付板３をトラバースシャーシ１との連結場所に配置したときに第２雌ねじ孔６
１１と第２ねじ孔６１２とが対応するように形成される。第２雌ねじ孔６２１と第２ねじ
孔６２２とが重なるようにトラバースシャーシ１の下面にモータ取付板３を配置し、第２
調整ボルト６２３を第２ねじ孔６２２側から貫通し第２雌ねじ孔６２１と螺合する。
【００６６】
さらに第３距離調整部６３も第１距離調整部６１と同様にトラバースシャーシ１に形成
される第３雌ねじ孔６３１と、モータ取付板３に形成されている第３ねじ孔６３２と、第
３ねじ孔６３２を貫通し第３雌ねじ孔６３１と螺合する第３調整ボルト６３３と、第３調
整ボルト６３３に外嵌し前記トラバースシャーシ１とモータ取付板３を互いに離れる方向
に付勢する弾性部材（ここでは、ばね６４）とを有している。
【００６７】
モータ取付板３をトラバースシャーシ１との連結場所に配置したときに第３雌ねじ孔６
３１に対応する位置に第３ねじ孔６３２が形成されている。第３雌ねじ孔６３１と第３ね
じ孔６３２とが重なるようにトラバースシャーシ１の下面にモータ取付板３を配置し、第
３調整ボルト６３３を第３ねじ孔６３２側から貫通し第３雌ねじ孔６３１と螺合する。
【００６８】
図６を参照してモータ取付板３の傾き調整方法を説明する。図６は正面側から見た図で
あり、図６中矢線Ａｒ３に示す方向にモータ取付板３を傾斜させる場合を考える。矢線Ａ
ｒ３方向は光ディスクＤｓの円周方向であり、ここでは、タンジェンシャル方向（ｔａｎ
方向）とする。
【００６９】
図６中左側（第２距離調整部６２が取り付けられた側）を下に傾ける場合、第２調整ボ
ルト６２３を回動して第２雌ねじ孔６２１と第２ねじ孔６２２との間隔が広がるように第
２ねじ孔６２２を移動する。第３調整ボルト６３３を第２調整ボルト６２３と反対方向に
回動させ、第３雌ねじ孔６３１と第３ねじ孔６３２との間隔が狭まるように第３ねじ孔６
３２を移動する。このとき、第２調整ボルト６２３の回転量と第３調整ボルト６３３の回
転量とは同じになるように調整する。
【００７０】
上述のように、第２調整ボルト６２３及び第３調整ボルト６３３を回動することでモー
タ取付板３をＸ軸中心に傾倒することが可能である。このとき、モータ取付板３の傾倒の
中心は図６に示すαである。モータ取付板３の傾倒中心αがターンテーブル２３に配置さ
れた光ディスクＤｓの中心の近傍になるので、ターンテーブル２３に配置された光ディス
クＤｓの回転中心と光ヘッド４が摺動するときの対物レンズ４２の中心が移動するＸ軸と
のずれを微小なものに抑えることが可能である。
【００７１】
光ヘッド４が摺動方向に傾いて取り付けられている場合もある。この場合、第１調整ボ
ルト６１を用いて図７に示す矢線Ａｒ４の方向にモータ取付板３を傾斜させる。矢線Ａｒ
４の方向は光ディスクＤｓの半径方向であり、ここではラジアル方向（ｒａｄ方向）とす
る。
【００７２】
光ディスクＤｓをｒａｄ方向に傾倒する場合、第１調整ボルト６１のみを操作する。例
えば、光ディスクＤｓの中心から離れるにしたがって光ヘッド４から遠ざかるように傾け
る場合、第１調整ボルト６１３を回動して第１雌ねじ孔６１１と第１ねじ孔６１２との間
が縮まるように第１ねじ孔６１２を移動する。このとき、第２調整ボルト６２３及び第３
調整ボルト６３３は移動しないので、モータ取付板３は第２距離調整部６２及び第３距離
調整部６３を結んだ線、すなわち、Ｙ軸周りに回動（傾倒）する。
【００７３】
このように第１距離調整部６１を操作することでモータ取付板３を傾け、光ディスクＤ
ｓの記録面を傾けることができる。その後、第１ねじ孔６１２、第２ねじ孔６２２及び第
３ねじ孔６３２が同じ量移動するように第１調整ボルト６１３、第２調整ボルト６２３及
び第３調整ボルト６３３を操作し、レーザ光のレーザスポットが光ディスクＤｓの記録面
に適正にするように調整する。
【００７４】
このように、ｔａｎ方向、ｒａｄ方向に傾けて、高さ調整をすることで、光ヘッド○の
対物レンズ４２から出射されるレーザ光の光軸の光ディスクｄｓの記録面に対する角度が
適正な角度になるとともに焦点位置を合わせることができる。これにより、光ディスクｄ
ｓに記録されているデータの読み出しや、光ディスクへのデータの書き込みの精度が高く
なる。
【００７５】
本実施例では第１距離調整部６１、第２距離調整部６２及び第３距離調整部６３の距離
調整方法として、トラバースシャーシ１の第１雌ねじ孔６１１、第２雌ねじ孔６２１及び
第３雌ねじ孔６３１の雌ねじを貫通孔とし、第１調整ボルト６１３、第２調整ボルト６２
３及び第３調整ボルト６３３のトラバースシャーシ１から突出した部分をナットにて螺合
するものであってもよい。この場合、ナットをトラバースシャーシ１に回転止めされてい
るものが好ましい。
【００７６】
第２距離調整部６２及び第３距離調整部６３からＸ軸までの距離が等しくなくてもよい
。この場合、距離に合わせて調整量を適正な量になるようにすることで、本実施例と同様
にモータ取付板３を傾倒することができる。
【００７７】
第２距離調整部６２及び第３距離調整部６３をＹ軸に対して第１距離調整部５１の反対
側に配置するものであってもよい。
【産業上の利用可能性】
【００７８】
本発明の光ディスクローディング装置は、ＤＶＤ、ＣＤ等の光ディスクを記録媒体とす
る光ディスク装置において適用することができる。
【図面の簡単な説明】
【００７９】
【図１】本発明にかかる光ディスク装置の概略配置図である。
【図２】本発明にかかる光ディスクローディング装置の要部の平面図である。
【図３】図２に示す光ディスクローディング装置の要部の正面図である。
【図４】図２に示す光ディスクローディング装置の要部の側面図である。
【図５】本発明にかかる光ディスクローディング装置の要部の平面図である。
【図６】図５に示す光ディスクローディング装置の要部の正面図である。
【図７】図５に示す光ディスクローディング装置の要部の側面図である。
【図８】従来の光ディスク装置の光ディスクローディング装置の平面図である。
【図９】図８に示す光ディスクローディング装置の平面図である。
【図１０】図８に示す光ディスクローディング装置の側面図である。
【符号の説明】
【００８０】
１  トラバースシャーシ
１１  貫通孔
１２  ガイド軸
２  光ディスク駆動機構
２１  スピンドルモータ
２２  回転軸
２３  ターンテーブル
３  モータ取付板
４  光ヘッド
４１  係合部
４２  対物レンズ
５  距離調整部
５１  第１距離調整部
５１１  第１雌ねじ孔
５１２  第１ねじ孔
５１３  第１調整ボルト
５２  第２距離調整部
５２１  第２雌ねじ孔
５２２  第２ねじ孔
５２３  第２調整ボルト
５３  第３距離調整部
５３１  第３雌ねじ孔
５３２  第３ねじ孔
５３３  第３調整ボルト
６１  第１距離調整部
６１１  第１雌ねじ孔
６１２  第１ねじ孔
６１３  第１調整ボルト
６２  第２距離調整部
６２１  第２雌ねじ孔
６２２  第２ねじ孔
６２３  第２調整ボルト
６３  第３距離調整部
６３１  第３雌ねじ孔
６３２  第３ねじ孔
６３３  第３調整ボルト
【図１】
2006268993.tif 000003
【図２】
2006268993.tif 000004
【図３】
2006268993.tif 000005
【図４】
2006268993.tif 000006
【図５】
2006268993.tif 000007
【図６】
2006268993.tif 000008
【図７】
2006268993.tif 000009
【図８】
2006268993.tif 000010
【図９】
2006268993.tif 000011
【図１０】
2006268993.tif 000012